(57)【要約】      （修正有）【課題】天照フローラ水の製造方法を提供する。【解決手段】飲料水に適した水道水・湧き水・地下水などの源水等に、天照石とフローライト石の原石をブレンドし熱処理（９０℃〜１００℃）をすることにより、温泉法第２条別表に規定するメタ・ケイ酸の鉱泉水を人工的に作ることができた。これは、飲料水として水質検査５０項目も完全にクリアできた。飲料水として、冷たくても飲めるが、温めると葛湯のようなとろみがでる。この鉱泉水は、髪や皮膚の保湿効果もある。虫さされや湿疹・アトピーなどのスキンケアでの効果・効能もある。他、遠赤外線放射率とマイナスイオン実施値が高い岩石や・備長炭とフローライト石の熱処理によるブレンド水でも、メタケイ酸を多く含む飲料水及び保湿水の作製が可能である。今後、各家庭や施設で鉱泉水の作製ができ温泉気分を期待できる。【選択図】  なし【特許請求の範囲】
【請求項１】
天▲照▼石（シーラルストーン・プラズマ石又は聖石ともいう）及び天降石（天照石ともいう）とフローライト石（蛍石）とをブレンドし、熱処理（９０℃〜１００℃）することにより製造できる事を特徴とする温泉・飲泉水である。
【請求項２】
貴陽石とフローライト石（蛍石）とをブレンドし、熱処理（９０℃〜１００℃）することにより製造することもできる鉱泉水である。
【請求項３】
備長炭とフローライト石（蛍石）をブレンドし熱処理（９０℃〜１００℃）することによっても製造することができる飲水及び保湿水である。
【請求項４】
天▲照▼石（プラズマ石又は聖石とも言う）及び天降石（天照石とも言う）とフローライト石（蛍石）を熱処理（９０℃〜１００℃）することによってできるメタケイ酸の温泉・鉱泉及び請求項２・請求項３の方法でも可能な事を特徴とする製造方法
【発明の詳細な説明】
【発明の詳細な説明】
【技術分野】
【０００１】  この発明は、天▲照▼石（シーラルストーン・プラズマ石又は聖石とも言う）及び天降石（天照石とも言う）とフローライト石（蛍石）をブレンドし、熱処理をすることによりできた、メタケイ酸（基準：５０ｍｇ／ｋｇ以上について温泉法第２条別表に規定する鉱泉の定義に該当する（平成１６年７月７日長崎県佐世保市西部環境調査株式会社にて分析：第７９３７−１号）温泉・飲泉（平成１６年６月１６日水質検査５０項目において水道法水質基準に適合：社団法人長崎県食品環境検査センターにて水質検査第０１−００４０１号）として飲料水・皮膚の保湿効果・虫さされ，湿疹汗疹等の効能・食品類への活用ができるブレンド水である。また、天▲照▼石と類似した遠赤外線放射率、マイナスイオン実測値（平成１２年３月調査）を持つ、貴陽岩（請求項２）や、備長炭（請求項３）とフローライト石（蛍石）とのブレンドによっても、類似したブレンド水を含めて命した。
天▲照▼フローラ水［商      標登録：出願（申請）番号  商標２００４−６１２９９  識別番号  ５０４２５４５５２］及びその製造方法に関するものである。
【背景技術】
【０００２】  天▲照▼石（シーラルストーン・プラズマ石又は聖石とも言う）又は天降石（天照石とも言う）及び貴陽石等の石版を利用し岩盤浴場として、美肌効果、髪のケア（トリートメント・育毛効果）細胞の活性化、血流の促進、自然治癒力を高める事で多岐にわたる症状の改善が報告されている。
玉石は熱処理による飲料水の作製、煮物や炊飯時の利用法などと、お風呂、洗濯などへ利用されている。
天▲照▼石（シーラスルトーン・プラズマ石又は聖石とも言う）や天降石（天照石とも言う）は粉末にして、肥料や農薬などと一緒に植物や農作物にまくと、収穫率がアップし、味が良いと言われていた。しかも、驚くことに数年前、農薬や肥料と一緒に天▲照▼石（シーラルストーン・プラズマ石又は聖石とも言う）のパウダーをまいた後の地質検査において、全ての農薬が検出されなかったとする報告者がある。天降石（天照石とも言う）も同様の使用の方法をしている。
貴陽岩は岩盤浴場への活用をされているが、その効能はまだ明らかにされていない。このようにそれぞれの石は、単品で使用されていた。
天降石（天照石とも言う）と、トルマリン石を活用した製品の報告は過去にある。備長炭も、遠赤外線放射率とマイナスイオン実施値が高く、室内の浄化や、飲料水、水飯器等やおふろなどへの活用が単品でされていた。
一方、フローライト石（蛍石）は物事を清める作用と結合する作用があると言われていた。また精神面で感情を落ち着かせ、寛大さを引き出すパワーを発揮する宝石として、疲労回復、結構促進、心身リフレッシュ等の効能が挙げられている。お風呂や料理飲用、装飾品やお部屋のオブジェなどに単独で利用されていた。それぞれの石や炭は、その一つ一つが自然のモノとしての貴重な活用方法であり、多くの消費者数を誇っているのが現状である。
【発明が解決使用とする課題】
【０００３】  天▲照▼石（シーラルストーン、プラズマ石又は聖石とも言う）の岩盤浴場を経営する中で、この石についての特徴を学んだ。
小さな石が集まっていたところに溶岩が接触して、性質を変えたもので、学名を礫岩ホルンヘルツという。
石に含まれる成分で特記すべきものは、二酸化珪素（ＳＩＯ２）の含有量がきわめて多く、７５％〜９０％である。
珪素１００％は石英で、結晶化すると水晶である。水晶は正確な波動／振動を発することからクオーツとして、１万年に１秒しかくるはない、電子時計にも使用されている。
こうして、きわめて正確な波動が育成波となって、人のリズムを本来の姿に戻すと言われている。
次に、酸化チタンの含有量が多い。通常の岩石は、３％程度であるがこの石は７％ある。そのため岩盤浴を経験した人はわかる。大量の汗をかいたにも関わらず、汗のしみたパジャマなどが、汗のにおいがしないのは、酸化（腐る。さびる）を還元（腐らせない。さびさせない）状態にさせてくれる為である。岩盤浴を自分も体験して、美肌効果はもちろんであるが、抜け毛が少ない。打ち身などの内出血が、１回で改善する。２０年来の腰痛・神経痛が治った。肝機能が良くなった。水虫が治った。毛が生えてきた。などの声が聞かれた。オーナー会議での，癌が小さくなった。血糖値が確実にさがる。等々の驚くべき報告を聞いた。
この石の魅力にひかれ、玉石の活用を色々試みていた。ある日、同業者の一人が遊びに来た時、フローライト石（蛍石）をおみやげにくれた。
「天▲照▼石（シーラルストーン・プラズマ石又は聖石とも言う）と塩出ししたフローライト石（蛍石）をやかんでわかすと、天▲照▼石単独よりも甘みがありますよ。」と、、、。また、「洗面器にフローライト石を入れて、ぬるま湯で顔を洗うと、ピーンと顔が突っ張りますよ」と、話してくれた。
そこで、フローライト石（蛍石）の物事を清める作用があり、結合する作用と、天▲照▼石（シーライスストーン・プラズマ石又は聖石とも言う）の数々のパワーに着眼し、ブレンド水を作り、飲用してみた。始め、冷やして飲んでいたが、ある日、ぬるま湯の時に飲んだところ、葛湯のように、とろっとした美味しさであった。この冷やした時にはないとろみは何なのか？。
顔や手に付けると、しっとりした。１週間ぐらい自分で使用してみた。顔や手足の皮膚がしっとりして保湿感十分である。
クリームや乳液を細くしなくても、肌がしっとりしている。時折入る岩盤浴の相乗効果もあるのか、わずか１０日間ぐらいで、素肌でおかしくないほどきめ細やかな肌になった。
飲料水としても、美味しく頂けた。自分が綺麗になったので、他の人にも話して、友人知人が使用し始め好評を得た。
その時点で確信を得たため、天▲照▼フロー水として商品化に向けて、商標登録を出願申請した。出願（申請）番号通知及び識別番号通知があり（前記番号参照）、今後、次の段階へ、さまざまな請求をする段階である。
しかし、飲料水として、他人に飲用させて良いという確信はなかった。このため、水道水で作った、ブレンド水を、食品環境センターの浄水水質検査５０項目へ提出した。次にこのお湯の時のとろみと、皮膚につけたときの保湿感に注目し、温泉効果の提出を行う一方、色々と研究に研究を重ねた。
飲料水としてのみでなく、お菓子やパスタ。パンの生地づくりでは、卵や牛乳を入れなくても、しっとりなめらかな、生地ができた。卵の色づけにサフランなどの応用をすると、卵や牛乳アレルギーの人の食材として使用できることがわかった。浄水水質検査の結果は，前記の通りである。
この事から、自信を持って、希望する人に、飲料水として作製し差し上げた。その間も、色々実験を行った。お風呂への活用（３カ所）では、男性でも、お湯が柔らかく、そのお湯で髪を、洗うと、しっとりして、リンスがいらない。水を使用するモノ、たとえばトーフづくり、手作り石けん、等々。岩盤浴で自分が使用する、水を飲んだところ、普通のミネラルウォーターより飲みやすく、発汗作用が多いことがわかった。その上、しっとり保湿感が持続した。翌日も試してみた。やはり違う。そのことを、知人友人に話し体験してもらうと、同じような結果が出た。そのうちに噂になり、その水を体験させて欲しいとの希望が多く、体験した人から、早く商品化して欲しいとの希望が多い。このため前記した、天▲照▼石（シーラルストーン・プラズマ石又は聖石ともいう）に類似した石や炭での実験を重ねたが、飲用の美味しさと、皮膚に付けたときのしっとりした保湿感は大差がなかった。
水質検査及び温泉効果には、水道水で作成したものを検査に提出した。
その間、ミネラルウォター各種や、湧き水、源水など飲料水など使用可能な、水で作製し、サンプルを集めているところである。
【課題を解決するための手段】
【０００４】  天▲照▼フローラ水は天▲照▼石（シーラルストーン・プラズマ石又は聖石ともいう）や、天降石（天照石とも言う）その他、貴陽石・備長炭などでも、フローライト石（蛍石）とのブレンド水を作製し実験中である。天▲照▼フローラ水は、前記実験した石や、炭も含めたモノと、フローライト石（蛍石）との、熱処理によって作製したブレンド水を総称して命名し、商標登録を出願申請した。まだ完成品ではなく研究途中であるがメタケイ酸についての温泉法第２条別表に規定する鉱泉としての基準に該当するとの報告が来た。
その間に、汗疹や、虫さされ、湿疹、アトピーなどに効能があることがわかった。また、６０代の男性の顔に湿疹ができ、病院の薬でも治らなかったのに、天▲照▼フローラ水を飲みながら岩盤浴をしたら、終了後完全に湿疹が消えたと、本人はもちろんのこと、そこにいた周りの人達が、驚きの体験をされている。各種の水、前記石の研究をしていく中で、飲水しての食感や、皮膚へのしっとり保湿感は、差があるようには感じないが、データー的にどうなのかは、それぞれのサンプルの水質の成分検査の必要がある、まだ研究の余地があり、これが最高の温泉・飲泉を作製できたとは考えていない。しかし、初期の段階で作製した天▲照▼フローラー水が、ミネラル水を作れたと思っていたのに、メタケイ酸の鉱泉（前記）を作製したことになり、これは、水環境学会や、環境資源工学会、環境科学会などへの論文発表に値する価値があるような気がしている。
このブレンド水に賛同した人が、長崎県で小さな水工場を建設し完成も近い。また、発明人が行った熱処理方法と違っ行程での作製を、既存の水工場で行い、成分分析中である。今後もまだまだ研究の余地がある。
【発明を実施するための最良の形態】
【０００５】  本発明で使用したモノは、天▲照▼石（シーラルストーン・プラズマ石又は聖石とも言う）や、天降石（（天照石とも言う）あるいは、貴陽石、備長炭などの類似した原石や炭それぞれ６００ｇと水（水道水・湧き水・源水、山水等飲料水として取水可能なもの）１０Ｌを入れ熱処理（９０℃〜１００になるように蒸気又は煮沸を行う）し、温度が最高に達したとき、フローライト石（蛍石）２００ｇを投かんし、１時間以上放置した後冷却し、濾過、殺菌後ペットボトルに注水【・栓をし、検査後、引き渡す一連の行程を行う。このように、水道水だけでも、メタケイ酸鉱泉ができた。
【発明の効果】
【０００６】  日本や韓国のメタケイ酸温泉・飲泉を文献検索すると、奇跡の温泉として、天▲照▼フローラ水に類似した効能がしるされている。
天▲照▼フローラ水の発明でのメタケイ酸鉱泉としての温泉・飲泉の現在までに、判明している結果として、以下のような事が挙げられる。
１．飲泉として、温めても、冷やしても美味しい。
２．そのまま化粧水として、全身に使用しても保湿効果がある。頭髪に噴霧してもトリートメント効果があり、ふけやかゆみの防止ができる。
３．湿疹、虫さされ、汗疹、アトピーに効能がある。
４．卵や、牛乳を使用するうどんなどのパスタ類、パン、ケーキ、お菓子類、天ぷら粉のとき水などに使用すると、卵や牛乳を使用しなくても、なめらかな仕上がりの生地ができた。卵や牛乳、その他のアレルギー食品としての活用がてきる。．
５．天▲照▼フローラ水を飲用しながら、岩盤浴に入ると、水分の吸収が良く、発汗効果がいつもより良い。その後の、皮膚の保湿感が持続する。
６．クラスタがどのミネラルウォーターよりも小さいのか、飲み比べると、今のところ、どの名水よりも飲みやすく、沢山飲める。このことは脱水症状の人や病人、老人や、こどもなどの水分補給に適していると考える。
今後、研究開発を進めることにより、もっと理想の温泉・飲泉が町の中で、いつでも何処でも温泉のボーリングをしなくても、簡単に作製することができる。近い将来、個人の一般家庭への普及だけでなく、各種浄水器及び給水器、ビルやマンションなどの貯水槽への応用、老人施設、リハビリ施設、病院などでの活用ができるものと考えられる。
また、天▲照▼フローラ水の人体や環境に及ぼす影響について研究することにより、医学や薬学部門での応用、環境汚染防止対策ができる可能性があると考える。有害物質を排除する機能の低下した母胎や胎児等への良い影響が出てくる可能性も期待できる。
未熟児の保育器の加湿に、この天▲照▼フローラ水を使用すれば普通の蒸留水よりも．消炎効果、保湿効果があるので、感染やスキントラブルが防止できるなどの、幅広い活用が期待できるものと考える。
水での特許は難しいと言われている。しかし、理想の水だと思い、特許願いを申請し、さらに研究中であった。しかし、鉱泉分析試験の結果は、メタケイ酸についての温泉法第２条別表に規定する鉱泉の定義に該当するとの報告を受けて、特許願いを変更し、申請をするものである。